(57)【要約】      （修正有）【課題】  袋体の上部に袋を絞込む為に縫い込まれた紐を、袋体に数回巻き閉めて結び締付ける作業工程を解消し、本発明の紐ストッパーを使用する事により、ワンタッチで絞り込んだ袋口の紐部を固定させる事を可能とした構造、及び締め込まれた袋口を開口する時は本体の中心部の蓋カバーを指で外す事によりロックを解除する事を可能とした紐用ストッパーの提供。【解決手段】ワンタッチ紐ストッパーは、本体と一体化して成形された本体の左右に紐固定のフック付蓋部２箇所を設けて紐を収納し本体の移動を可能とする構造にして、その中心部に本体内に通された紐を固定する構造のロック部の形状を形成し、この蓋を本体フック部に押し込み固定させる事により、袋口を締める構造、又締めこまれた袋口を開放するときは、中心部の紐固定用蓋のフック部の爪を外すことにより、袋口を開放出来る構造。【選択図】図１
2007296303.tif 000002
【特許請求の範囲】
【請求項１】
可撓性を有する合成樹脂材により一体的に形成され、袋物に取り付けられた締付け用の紐を本体の紐ストッパーの中心部の溝に沿わせ、本体と一体化させた形状の左右２箇所のロック可能な形状を設けた蓋カバーを本体の紐ストッパーに押し込みロックさせる事により、袋物の紐を切断し穴に通すことなく紐を本体の紐ストッパー内に収める事を可能とし、本体の紐ストッパーはその紐内で自由に移動が可能となり、袋物の紐に取り付けられた本体の紐を袋口に絞り込み、本体の中心部のロック可能な形状を設けた蓋カバーを押し込みロックさせる事で紐が固定される、袋口を開放する場合は、中心部のロックされた蓋カバーを外す事で締付けた袋口を開放する事が出来る、袋体が消耗した場合、本体の３箇所のロックされた蓋カバーを開ける事により、本体内の紐をすべて取り外す事を可能とし、本体の再利用を可能とした紐用ストッパー。
【発明の詳細な説明】
【技術分野】
【０００１】本発明は現在広く一般的に利用されている土嚢袋、砂袋など、その袋口を紐で絞り込み結ぶ袋物の袋口を結び締め付ける事なく、速やかに締め込み袋口を固定し、及び速やかにその袋口を開口出来る紐用ストッパーを提供する。
【背景技術】
【０００２】現在広く一般的に利用されている袋物の紐ストッパーは、ストッパー内に紐を通す構造で製作されているのでストッパー内に紐を通さなければならず多くの労力を必要とする、従来の紐ストッパーはその製作工程においても、複数の部品及びバネ等を必要として製作されているので、製作価格も安価に出来ない構造である。
【発明が解決しようとする課題】
【０００３】本発明の紐ストッパーは、緊急災害時において水害などの被害が発生した時、水防団及び一般の方々の協力により一刻も早く土嚢積みを完成させる目的に答える事の出来る構造を持つものである、従来の土嚢袋はその袋口をひとつひとつ巻き閉める作業に手間取り、ある程度の熟練が必要であった、本発明の紐ストッパーは、誰でもワンタッチでその袋口を締め込み固定する事が可能であり、速やかに土嚢積みを完成させる事が可能となり、このため尊い人命救助に役立つ特徴を持つので、消防団や水防団などの緊急土嚢積みなどにその効力を発揮する事が出来る。
【０００４】本発明の紐ストッパーは、従来の土嚢袋の形状においてもその効力を発揮させる事が可能であるが、緊急災害時において速やかに土嚢積みをより強固にする目的の土嚢袋を改良したことでその本来の紐ストッパーの目的を達成出来る、この改良された土嚢袋は特許申請済みであり、出願番号２００６−１２４４０８の改良された土嚢袋にこの紐ストッパーを取り付ける事により、その本来の目的をさらに強固しにし、及び作業を素早く完成させる事が可能となる。
【０００５】本発明の紐ストッパーは、上記の改良された土嚢袋と組み合わせる事において、産業上においても利用が可能である、現在の建築業界では、多量の砂を土嚢袋に詰めて販売されているが、従来の土嚢袋の袋口を一つ一つ結び閉める作業に多くの労力を必要としている、本発明のストッパーを改良された土嚢袋に使用することでその作業が大幅に短縮され、人件費の節約が可能となり、砂袋の需要者側もワンタッチでその袋口を開口出来るのでその作業も短縮され、袋の損傷も少なくなり再利用が可能となった。
【０００６】本発明の紐用ストッパーは、その本来の目的が終了した場合において、再利用が可能な構造を持つ、本体のロック装置を備えた２箇所の紐収納用の蓋カバー及び紐固定用の中心部の１箇所のすべてを開放できる構造としてあるため、収納されていた紐を取り外す事が可能であり、再利用が可能なので資源の節約と産業廃捨物の軽減に答える事が可能となった。
【０００７】本発明の紐用ストッパーは、その構造上袋体及び袋体の紐に従来のように袋口の紐を締め込み結び、その結び目を解く工程がなくなり、紐や袋体に負担を掛けない構造であるため、袋体の損傷や紐の損傷を和らげる事が可能となり従来以上に再利用が可能になった、この事についても資源の節約と産業廃捨物の軽減に答える事が可能である。
【０００８】本発明の紐用ストッパーは、上記に示す利用分野以外にも、その特徴を利用する事が可能である、例えば洗濯物を干す紐の固定や開放、農業用の穀類の袋口の利用、山林の境界線の紐の仮固定  稲や野菜類の仮固定や  雑草の結束、等間隔で固定し大まかな距離の測定等  広い分野に渡り、新しい利用分野の可能性を持つ構造である
【課題を解決するための手段】
【０００９】可撓性を有する合成樹脂材により一体的に形成され、袋物に取り付けられた締付け用の紐を本体中心部の溝に沿わせ、本体と一体化させた形状の左右２箇所のロック可能な形状を設けた蓋カバーを本体に押し込みロックさせる事により、袋物の紐を切断し穴に通すことなく紐を本体の中に収める事を可能とし、本体はその紐内に沿い自由に移動が可能となり、袋物の紐に取り付けられた本体の紐を袋口に絞り込み、本体の中心部のロック可能な形状を設けた蓋カバーを押し込みロックさせる事で紐が固定される、袋口を開放する場合は、中心部のロックされた蓋カバーを外す事で締付けた袋口を開放する事が出来る、袋体が消耗した場合、本体の３箇所のロックされた蓋カバーを開ける事により、本体内の紐を取り外す事を可能とし、本体の再利用を可能とした紐用ストッパー。
【発明の効果】
【００１０】本発明の紐ストッパーは可撓性を有する合成樹脂材により一体的に形成される形状であり、安価にしかも多量な製造が可能、従来の紐ストッパーのように紐を穴に通す手間を省き本体に紐を沿わせて、左右のロック機能を持たせた蓋カバーを押し込みロックさせる事で速やかに紐を本体内に収める事が可能な構造となり、この状態の場合本体は紐内を自由に移動が可能である、袋口の紐を片手で持ち、本体を紐の袋口まで絞込み、中央のロック機能を持たせた蓋カバーを押し込みロックさせる事で袋口を絞込み固定される構造、袋口を開く時は中央のロックされた蓋カバーを指で解除可能な構造であるため、袋の再利用が可能な構造、袋体の再利用の過程において、その袋体が消耗した場合において、本体の左右及び中央の蓋カバーを簡単に取り外せる構造なので、新しい袋体に再利用が可能な構造を持つ紐用ストッパー。
【発明を実施するための最良の形態】
【００１１】本発明の紐ストッパーは、土嚢袋の袋口を素早く締付け固定出来る形状としたもので、出願済の出願番号２００６−１２４４０８の改良された土嚢袋に、この紐ストッパーを取り付ける事によりその本来の目的を達成させる事が可能な構造を持つものであり、主たる本発明の紐ストッパーの使用例として上げれば、災害時における緊急土嚢積みの必要性が発生した場合において、水防団などの支持を得て、近所の住民の方達や、ボランテイァの方達と一致協力して目的の土嚢積みの袋口を素早く締めこむ事により、従来よりも多量の土嚢を作成させる事が可能であるので、尊い人命救助に役立つ構造を持つものである。【００１２】本発明の紐ストッパーは、上記の改良された土嚢袋と一体化させて使用する事により、産業上においてもその効力を発揮する事が可能である、建築業界においても土嚢袋は、砂袋として多量に使用されており、その土嚢袋の袋口をひとつひとつ結び締めこむ作業に多くの労力と時間を必要としている、また需要者側としても、この袋口の結び締め込まれた紐をひとつひとつ解かなければならず、この事も多くの労力と時間を必要としている、この為、紐や土嚢袋の痛みが早く再利用が極めて低い現状を改良する事が可能となった。【００１３】本発明の紐ストッパーは、その構造上において、何度でも再利用が可能な構造を持つので資源の節約と、産業廃棄物の軽減に役立つ。【００１４】本発明の紐ストッパーは、その構造上、袋物のストッパーとして利用する以外にも、広い範囲に応用が可能な構造を持つ、林業においては、山林の境界線の紐の固定と解除、雑草の結束と解除  農業においては穀類の袋の仮固定と解除、野菜等の仮固定と解除、  家庭においては洗濯物の紐の固定と解除、産業上の廃材処理などの固定と解除等に利用範囲の広い可能性を特徴とする。【００１５】本発明の紐ストッパーは、様々な色素を用いて制作が可能である為、袋体に詰め込まれた中身をいちいち袋体を開けて確認する事無く、一目でその袋体の中身を識別出来る特長を持つものである、例えば緊急用の土嚢袋には赤色を、産業上の砂袋には青色を、砕石の袋には黒色を、産業廃棄物の土屑には茶色を、木材屑には黄色を、などと、あらかじめ取り決めて置く事により一目でその中身を識別する事が可能である為、従来のように土嚢袋の色を変えて識別させていた多数の工程の手間を大幅に短縮させる利点を持つ。
【図面の簡単な説明】
【００１６】
【図１】本発明の実施の形態に係る紐用ストッパーの斜視図。
【符号の説明】
１は、紐用ストッパーの本体。
２は、本体の左右両面に本体と一体化した構造の紐収納用の２箇所の蓋カバー。
３は、本体内に収納された紐を、中央部でロック及び開放可能な構造とした蓋カバー。
４は、本体の３箇所の蓋部に固定ロック可能な形状を持たせた構造。
５は、本体に蓋部を押し込む事によって蓋部を固定可能な形状を持たせた構造。
６は、本体内に収納された紐を固定する目的で成形された形状の凸部。
７は、本体内に収納された紐を固定する目的で成形された形状の凹部。
８は、ロックされた３箇所の蓋部を指で開放可能な構造とした形状のロック解除部。
【００１７】
【図２】
本発明の本体に紐を収めた後に自由に本体が移動可能な形状を示す。
【符号の説明】
１は、本体の紐ストッパー
２は、左右の一体化されたロック機能を設けた蓋カバーを閉じた状態を示す。
【００１８】
【図３】
袋体に本発明の紐ストッパーで袋口を締め込み固定した形状を示す。
【符号の説明】
１は、袋体
２は、袋体の紐の絞込みの形状を示す。
３は、本体の紐ストッパーの中央部の蓋カバーを押込みロックさせ袋口を締め付け固定した形状を示す。
【図１】
2007296303.tif 000003
【図２】
2007296303.tif 000004
【図３】
2007296303.tif 000005